(57)【特許請求の範囲】
【請求項１】
医療用のベッド４の枠４６に形成され保護柵４４の脚部４５が挿入される竪孔４０を利用して方形状の医療廃棄容器１を引っ掛けるためのハンガー２であって、前記容器１にはシリンジから注射針を外すための取り外し孔１７が形成され、
前記ハンガー２は、
前記容器１の４つの側面に沿って横方向にループ状に延び、前記容器１の周囲に嵌合される矩形リング状に形成され前記容器１を保持する保持部２０と、
前記保持部２０における前記容器１の４つの側面のうち第１側面Ｆ１に沿う第１側部２１から前記矩形リング状の保持部２０の外方に向かって張り出し、かつ、前記保護柵４４が抜き取られた前記ベッド４の枠４６の上面４３における前記堅孔４０の両側において前記上面に当接する逆Ｌ字状の張出部５０と、
前記張出部５０の前記外方に向かって張り出した先端から下方に向かって延び前記竪孔４０に挿入されて、前記竪孔４０内において前記ベッド４の枠４６に係合する被挿入部６０とを備え、
前記被挿入部６０は、前記第１側部２１と概ね平行な鉛直面に沿って配置され前記竪孔４０内において前記ベッド４の枠４６の第１面４１に接し、前記ベッド４の枠４６を前記第１側部２１との間で挟む挟み部６１と、前記挟み部６１の下端から斜め下方の前記外方に向かって延び前記竪孔４０内において前記ベッド４の枠４６の前記第１面４１に対面する第２面４２に当接する当接部６２とを備えることを特徴とする医療廃棄容器用ハンガー２。
【請求項２】
請求項１において、前記容器１は廃棄物を収容する容器本体１２と、前記容器本体１２に対し前記第１側面Ｆ１に対面する第３側面Ｆ３の側に配置されたヒンジ１８を中心に前記第３側面Ｆ３に対面する位置まで回転して開閉する蓋１４とを備え、
前記ハンガー２は、
前記保持部２０から上方に延び、かつ、上端が前記矩形リング状の保持部２０の内方に向かって屈曲して形成されていることで前記容器本体１２の上端に係合する係合部７０を更に備え、
前記係合部７０が前記張出部５０および被挿入部６０を設けた前記第１側部２１から上方に向かって延びていることを特徴とする医療廃棄容器用ハンガー２。
【請求項３】
請求項１もしくは２に記載のハンガー２と、前記容器１とを包含する医療廃棄容器ユニット３。
【発明の詳細な説明】
【技術分野】
【０００１】
本発明は、医療廃棄容器をベッドの枠などの医療設備であってベッドの近傍の所望の部材に引っ掛けるための医療廃棄容器用ハンガーおよび医療廃棄容器ユニットに関するものである。
【背景技術】
【０００２】
従来より、一度使用された注射針は、院内感染を防ぐため、再度使用されることなく廃棄されている。使用済みの注射針は患者から抜き取った後、その場で、直ちに医療廃棄容器に廃棄される。かかる医療廃棄容器については、種々の提案がなされている（特許文献１および２）。
【特許文献１】登録意匠番号１１６６２０２公報
【特許文献２】U.S.PATENT 4,375,849
【特許文献３】ＪＰ２００８−１０９９８８Ａ
【発明の開示】
【０００３】
しかし、前記容器はサイドテーブルやベッド上等に置かれるため、使用済みの注射針等の廃棄時に容器が動いたり倒れたりする場合があり、容器内に注射針等を入れる作業の作業性が低下する。
【０００４】
したがって、本発明の主目的は、使用済みの注射針等の医療廃棄物を容器内に確実に廃棄するのを補助する医療廃棄容器用ハンガーを提供することである。
【０００５】
前記目的を達成するために、本発明のある態様の医療廃棄容器用ハンガーは、機物に形成された竪孔４０を利用して方形状の医療廃棄容器１を引っ掛けるためのハンガー２であって、前記容器１の４つの側面のうちの少なくとも第１側面Ｆ１から前記第１側面Ｆ１に隣接する一対の第２側面Ｆ２に沿って延び、前記容器１を保持する保持部２０と、前記保持部２０の前記第１側面Ｆ１に沿う第１側部２１から前記容器１に向かう方向Ｄ１と反対に向かって張り出し前記機物の上面４３に当接する張出部５０と、前記張出部５０の先端から下方に向かって延び前記竪孔４０に挿入されて、前記竪孔４０内において前記機物に係合する被挿入部６０とを備えている。
【０００６】
図８に示すように、医療用のベッド４には患者の安全を図るために、ベッド４の周囲に複数個の保護柵４４が固定されている。各保護柵４４は前記ベッド４の枠４６に形成された竪孔４０に挿入される脚部４５を有している。看護師は前記保護柵４４を上方に引き上げ前記脚部４５を前記竪孔４０から抜き取った後に、注射等の医療行為を行う。
したがって、前記竪孔４０を利用して容器１を固定することができれば、至便である。
【０００７】
ここで、本発明によれば、ハンガー２の張出部５０が前記保護柵４４を取り外したベッド４の枠４６などの機物の上面４３に当接した状態で、前記ハンガー２の被挿入部６０が竪孔４０内において前記ベッド４の枠４６に係合する。したがって、看護師等は容器１をハンガー２および竪孔４０を介してベッド４に取り付けることができ、この状態で注射などの医療行為を実行すると共に、使用済の注射器等を前記ベッド４に固定された容器１に投入することができる。したがって、使用済みの注射針等の廃棄時に容器が動いたり倒れたりするおそれがなく、容器１内に注射針等を入れる作業の作業性が著しく向上する。
【図面の簡単な説明】
【０００８】
【図１】本発明にかかるハンガーの実施例１を示す斜視図である。
【図２】同実施例にかかるユニットを示す斜視図である。
【図３】同ユニットの使用状態を示す斜視図である。
【図４】同ユニットの使用状態を示す一部断面した側面図である。
【図５】同ユニットの使用状態を示す平面図である。
【図６】同ユニットの使用状態を示す斜視図である。
【図７】被挿入部の変形例を示す断面図である。
【図８】ベッドに取り付ける柵を示す側面図である。
【図９】実施例２を示すユニットの斜視図である。
【図１０】実施例３を示すハンガーの斜視図である。
【図１１】同実施例３を示すハンガーの斜視図である。
【図１２】同実施例３にかかるユニットを示す斜視図である。
【図１３】同実施例３にかかるユニットを示す斜視図である。
【発明を実施するための形態】
【０００９】
好ましくは、前記容器１は廃棄物を収容する容器本体１２と、前記容器本体１２に対し前記第１側面Ｆ１に対面する第３側面Ｆ３の側に配置されたヒンジ１８を中心に前記第３側面Ｆ３に対面する位置まで回転して開閉する蓋１４とを備え、
前記ハンガー２は前記保持部２０から上方に延び、かつ、上端が前記容器１の内方に向かって屈曲して形成されていることで前記容器本体１２の上端に係合する係合部７０を更に備え、
前記係合部７０が前記張出部５０および被挿入部６０を設けた前記第１側部２１から上方に向かって延びている。
【００１０】
この場合、係合部７０が容器本体１２の上端に係合しているから、容器本体１２を上方に引き上げた際に、容器本体１２のみが持ち上がり、ハンガー２が機物側に残るのを防止し得る。
【００１１】
また、機物側である第１側面Ｆ１に対面する第３側面Ｆ３の側にヒンジ１８が配置され、一方、係合部７０が張出部５０および被挿入部６０を設けた第１側部２１側に配置されているから、樹脂ヒンジ１８を中心に蓋１４を約１８０°〜約２７０°回転させて、蓋１４を大きく開くことができる。したがって、投入口に廃棄物を廃棄する際等に前記蓋１４が邪魔になりにくく、医療行為の作業性が向上する。
【００１２】
本発明の好的な実施例においては、前記被挿入部６０は、前記第１側部２１と概ね平行な鉛直面に沿って配置され前記竪孔４０内において前記機物の第１面４１に接し、前記機物を挟む逆Ｕ字形状の挟み部６１と、前記挟み部６１の下端から斜め下方の前記外方に向かって延び前記竪孔４０内において前記機物の前記第１面４１に対面する第２面４２に当接する当接部６２とを備える。
【００１３】
この場合、逆Ｕ字形状の挟み部６１が機物の外面と前記第１面４１を挟み、更に当接部６２が前記第１面４１に対面する第２面４２に当接する。そのため、機物に対する第１の方向Ｄ１についての固定状態が安定し易く、前記作業性が更に向上する。
【００１４】
特に、前記当接部６２が前記挟み部６１から斜め下方の外方に向かって延びており、前記当接部６２は被挿入部６０を竪孔４０内に挿入する際にベッド４の上面４３に引っ掛かることなく、被挿入部６０が前記竪孔４０に挿入されるのを案内する。したがって、本ユニット３を固定し易い。
【００１５】
本発明の更に好的な実施例においては、前記張出部５０は、前記竪孔４０の孔径よりも前記第１側面Ｆ１に沿う方向Ｄ２の長さが大きく、前記竪孔４０の両側において前記機物の上面４３に当接している。
【００１６】
この場合、張出部５０は前記第１側面Ｆ１に沿って横方向に延びる長い領域において機物の上面４３に当接する。そのため、前記第１の方向Ｄ１に直交する第２の方向Ｄ２についての固定状態が安定し易く、前記作業性が更に向上する。
【００１７】
本発明の更に好的な実施例においては、前記保持部２０は上下に互いに離間した横方向に延びるループ状の複数本の金属製の第１線材Ｍ１と、前記上下の線材Ｍ１同士を上下に互いに固着する複数本の金属製の第２線材Ｍ２とを包含し、前記第２線材Ｍ２のうちの1本が折り曲げられて前記張出部５０が形成されている。
【００１８】
本発明の更に好的な実施例においては、前記容器１は廃棄物を収容する容器本体１２と、前記容器本体１２に対し前記第１側面Ｆ１に対面する第３側面Ｆ３の側に配置されたヒンジ１８を中心に前記第３側面Ｆ３に対面する位置まで回転して開閉する蓋１４とを備え、
前記第２線材Ｍ２は前記第１側面Ｆ１と前記第３側面Ｆ３とに設けられ、前記第１側面Ｆ１に設けられた第２線材Ｍ２は係合部７０を形成し、
前記係合部７０は前記張出部５０および被挿入部６０を設けた前記第１側部２１の第２線材Ｍ２から上方に延び、かつ、前記係合部７０の上端が前記容器１の内方に向かって屈曲して形成されていることで容器本体１２の上端に係合する。
【００１９】
前記張出部５０や係合部７０はループ状の前記第１線材Ｍ１を上下に連結するために必要な前記第２線材Ｍ２で形成されているので、材料の無駄が生じにくい。
【実施例】
【００２０】
以下、本発明の一実施例を図面にしたがって説明する。
ベッドの両サイドには、図８に示すように、患者の落下防止のための保護柵４４が設けられている。本実施例では、保護柵４４を備えたベッド４を例示して説明する。
【００２１】
患者に注射等を行う際には、図８に示すように、保護柵４４を取り外して行う。その際図２の医療廃棄容器１と医療廃棄容器用ハンガー２からなる医療廃棄容器ユニット３のハンガー２を保護柵４４を挿入していた竪孔４０に挿入して固定し、使用済みの注射器などを前記容器１に投入して廃棄する。
【００２２】
図９（実施例２）に明示するように、医療廃棄容器１（以下、単に「容器１」という。）は、容器本体１２、中蓋１３、外蓋１４および把手１９を備え、合成樹脂で形成されている。
【００２３】
前記容器本体１２は医療廃棄物を収容する有底の容器である。容器本体１２は略直方体形状で、４つの側面を有している。
中蓋１３は前記容器本体１２の上方の開口を覆うと共に医療廃棄物を投入するための投入口１６を有する。前記外蓋１４は前記中蓋１３の前記投入口１６を閉塞する。
なお、前記中蓋１３にはシリンジから注射針を外すための取り外し孔１７が形成されている。
【００２４】
前記中蓋１３と外蓋１４とは互いに一体に成形されており、かつ、前記容器本体１２とは別体である。前記外蓋１４は中蓋１３に対し、いわゆる樹脂ヒンジ１８を介して回転自在となっている。前記外蓋１４は前記中蓋１３およびヒンジ１８を介して、ヒンジ１８を中心に容器本体１２に対し、後述する第１側面Ｆ１（図２）に対面する位置まで回転して投入口１６の作業用開口を開閉することが可能である。
【００２５】
図４に示す前記ハンガー２は、容器１をベッド４の前記竪孔４０に引っ掛けるためのハンガーであり、金属製の第１線材Ｍ１および第２線材Ｍ２で一体に形成されている。
図１の前記ハンガー２は、保持部２０、張出部５０、被挿入部６０および係合部７０を備え、前記第１および第２線材Ｍ１，Ｍ２が一体に溶着されて形成されている。なお、ハンガー２は前記線材Ｍ１，Ｍ２に代えて、金属板や樹脂で形成されてもよい。
【００２６】
図２の前記保持部２０は前記容器１の４つの側面のうちの少なくとも第１側面Ｆ１から前記第１側面Ｆ１に隣接する一対の第２側面Ｆ２に沿って延び、前記容器１を保持する。図１の前記保持部２０は上下に互いに離間したループ状の複数本の金属製の第１線材Ｍ１からなるリング部２０Ｒと、前記上下の線材同士を上下に互いに固着する複数本の金属製の第２線材Ｍ２からなる連結部２０Ｃとで一体に形成されている。
【００２７】
前記リング部２０Ｒは、容器１の下方から該容器１の周囲に嵌合される矩形リング状に形成されている。前記容器本体１２の上部には、その全周に渡って突出部１２ａが形成されており、図２に示すように、前記リング部２０Ｒの上端は、前記突出部１２ａの下端に接している。したがって、リング部２０Ｒは、容器１の下方から容器１の突出部１２ａの周囲に嵌合される。
【００２８】
図２の前記張出部５０は前記連結部２０Ｃのうちの１つを構成し、逆Ｌ字状に折り曲げられて形成されて、図４に示すように、前記保持部２０の前記第１側面Ｆ１に沿う第１側部２１から前記容器１に向かう方向Ｄ１と反対に向かって張り出し前記ベッドの枠４６の上面４３に当接する。図５の前記張出部５０は、前記竪孔４０の孔径よりも前記第１側面Ｆ１に沿う方向Ｄ２の長さが大きく、前記竪孔４０の両側において前記ベッドの枠４６の上面４３に当接している。
【００２９】
図４の前記被挿入部６０は前記連結部２０Ｃのうちの１つを構成し、第２線材Ｍ２がギリシャ文字の「η」（エータ／イータ）の筆記体状に折り曲げられて、前記被挿入部６０は「く」の字状に形成され、張出部５０と同じ位置に配置されていると共に、前記張出部５０に溶着されている。前記被挿入部６０は前記張出部５０の先端から下方に向かって延び前記竪孔４０に挿入されて、前記竪孔４０内において前記ベッドの枠４６に係合する。
【００３０】
図４に示すように、前記被挿入部６０は、前記第１側部２１と概ね平行な鉛直面に沿って配置され前記竪孔４０内において前記枠４６の第１面４１に鉛直方向に沿って線接触して前記機物を挟む挟み部６１と、前記挟み部６１の下端から斜め下方の前記外方に向かって延び前記竪孔４０内において前記枠４６の前記第１面４１に対面する第２面４２に当接する当接部６２とを備える。
【００３１】
前記連結部２０Ｃを形成する前記第２線材Ｍ２は前記第１側面Ｆ１と前記一対の第２側面Ｆ２、前記第１側面Ｆ１に対面する第３側面Ｆ３とに設けられ、つまり、第１〜第３側部２１〜２３に設けられている。
【００３２】
本実施例の場合、前記第３側面Ｆ３に設けられた第２線材Ｍ２は係合部７０を形成する。前記係合部７０は前記保持部２０から上方に延び、かつ、前記係合部７０の上端が前記容器１の内方に向かって突出して「く」の字状に形成されていることで前記中蓋１３の上面に係合する。すなわち、本実施例の場合、係合部７０は中蓋１３を介して容器本体１２の上端に係合している。
【００３３】
つぎに、本ハンガー２の用い方について説明する。
まず、図２の容器１の下方からハンガー２の保持部２０を装着する。この装着の際には、第２線材Ｍ２の金属弾性により係合部７０が若干外方に拡げられ、装着後には係合部７０が内方に向かって復元し係合部７０の上端が中蓋１３の上面を介して容器本体１２の上端に係合する。これにより、ハンガー２と容器１とが一体となった医療廃棄容器ユニット３が組み立てられる。
【００３４】
つぎに、前記ユニット３などを載せたカート（図示せず）を押しながら病室に向かう。患者のベッドに到着したら、図８に示すように、ベッドの枠４６から保護柵４４の一部を抜き取ると、前記保護柵４４を抜き取った部分に竪孔４０が表れる。
【００３５】
図３〜図５に示すように、看護師は前記図２の挿入部６０を竪孔４０に挿入する。図４に示すように、挿入状態において、挟み部６１がベッドの枠４６を挟むと共に、前記張出部５０が枠の上面４３に当接する。この装着後に、外蓋１４を開くと中蓋１３の注射器投入口１６（図９）が表れる。
【００３６】
その後、注射等の所定の医療行為が実行された後、使用済みの注射器から針を抜き取る作業等を行い、前記投入口１６（図９）から使用済みの針やシリンジを容器１内に投入して廃棄する。
【００３７】
この廃棄作業の際に、前記容器１には前記抜き取り作業に伴い、容器１を回転させる外力が負荷される。図４の第１の回転方向Ｒ１については、前記挟み部６１および当接部６２が竪孔４０内で第１面４１および第２面４２に当接していることにより、容器１の回転が防止される。一方、図３の第２の回転方向Ｒ２については、長い前記張出部５０がベッド４の枠の上面４３に当接していることにより、容器１の回転が防止される。
【００３８】
前記廃棄作業の完了後、図６の把手１９を上方まで回転させ、当該把手１９を持って医療廃棄容器ユニット３を上方に引き上げ、医療廃棄容器ユニット３をカートに戻す。その後、図８のべッド４の竪孔４０に保護柵４４を挿入する。
【００３９】
なお、図６の容器１全体を廃棄する際には、ハンガー２から容器１を取り外し、容器１のみを廃棄することで、ハンガー２を繰り返し使用することができる。
【００４０】
つぎに、図７Ａ〜図７Ｃの変形例について説明する。
図７Ａや図７Ｃの例に示すように、挿入部６０は「し」の字状やＬ字状であってもよい。しかし、これらの場合、挿入部６０の先端が大きいので、前記実施例１の「く」の字状の挿入部６０の方が竪孔４０に入れ易いだろう。
【００４１】
図７Ｂの例に示すように、挿入部６０は階段状に形成されていてもよい。しかし、この場合段部が上面４３に当接し易いので、前記実施例１の「く」の字状の挿入部６０の方が竪孔４０に入れ易いだろう。
【００４２】
図１０〜図１３は別の実施例を示す。
本実施例においては、図１０および図１１に示すように、係合部７０が張出部５０および挿入部６０を設けた第１側部２１から上方に向かって延びている。
【００４３】
図１２および図１３に示すように、ヒンジ１８は第１側面Ｆ１に対面する第３側面Ｆ３に配置されている。すなわち、図１２の第１側部２１が容器本体１２におけるヒンジ１８とは反対側の第１側面Ｆ１に沿うように、ハンガー２が容器本体１２に装着される。
【００４４】
この例の場合、張出部５０および挿入部６０を設けた第１側部２１は機物に対面し、図１３のヒンジ１８を設けた第３側面Ｆ３は機物に対面せず、通路等に対面する。そのため、ヒンジ１８を中心に外蓋１４を１８０°から２７０°程度回転させて、中蓋１３の上面の作業用開口を完全に容易に開くことができる。したがって、医療行為の作業性が著しく向上する。
【００４５】
なお、図９に示すように、ハンガー２は保持部２０と係合部７０とが樹脂ヒンジ２００で連なった樹脂製であってもよいし、あるいは、線材と板材とを組み合わせたものであってもよい。
更に、前記図１の保持部２０はリング状である必要はなく、たとえば第３側部２３を有しないコ字状であってもよいし（特願２０１１−０３０７０２号参照）、あるいは、バンド状ではなく容器の底を支える籠状であってもよい。
また、前記係合部７０はヒンジとスプリングを用いた可動式であってもよい。
また、ヒンジ１８は樹脂ヒンジではなく、金属ピンなどを中心に外蓋１４が回転するものであってもよい。
また、係合部７０が容器本体１２の上端に直接係合する構造であってもよい。
【産業上の利用可能性】
【００４６】
本発明は、注射針などの廃棄に用いる医療廃棄容器に適用することができる。
【符号の説明】
【００４７】
１：容器  １２：容器本体  １２ａ：突出部  １３：中蓋  １４：外蓋  １６：投入口
１７：取り外し孔  １８：樹脂ヒンジ  １９：把手
２：ハンガー  ２０：保持部  ２０Ｃ：連結部  ２０Ｒ：リング部
３：医療廃棄容器ユニット      
４：ベッド  ４０：竪孔  ４１：第１面  ４２：第２面  ４３：上面  ４４：保護柵
４５：脚部  ４６：ベッドの枠
５０：張出部
６０：被挿入部  ６１：挟み部  ６２：当接部
７０：係合部
Ｆ１：第１側面  Ｆ２：第２側面  Ｆ３：第３側面
Ｍ１：第１線材  Ｍ２：第２線材
Ｒ１：第１の回転方向  Ｒ２：第２の回転方向
【図１】
0005954891.tif 000002
【図２】
0005954891.tif 000003
【図３】
0005954891.tif 000004
【図４】
0005954891.tif 000005
【図５】
0005954891.tif 000006
【図６】
0005954891.tif 000007
【図７】
0005954891.tif 000008
【図８】
0005954891.tif 000009
【図９】
0005954891.tif 000010
【図１０】
0005954891.tif 000011
【図１１】
0005954891.tif 000012
【図１２】
0005954891.tif 000013
【図１３】
0005954891.tif 000014